(57)【要約】【課題】ペンケースをペンスタンドとして使用する際に、安定して立てることができるペンケースを提供する。【解決手段】筆記具５０を収容するペンケース１０であって、第１の開口部２２を有する第１の収容部２０と、第２の開口部３２と、第２の開口部３２から他端側に向かって設けられた開閉手段３４と、を有する第２の収容部３０と、を備え、第１の収容部２０と第２の収容部３０とは、開閉手段３４と反対側の面で接続されており、かつ、第１の開口部２２を第２の開口部３２で覆うように配置されており、第１の収容部２０と第２の収容部３０とを接続する接続部４０は、開閉手段３４が設けられた面と反対側に折り曲げ可能とすることで、第１の開口部２２が開放されるペンケース１０である。【選択図】図５
2020055222.tif 000002
【特許請求の範囲】
【請求項１】
筆記具を収容するペンケースであって、
第１の開口部を有する第１の収容部と、
第２の開口部と、前記第２の開口部から他端側に向かって設けられた開閉手段と、を有する第２の収容部と、を備え、
前記第１の収容部と前記第２の収容部とは、前記開閉手段と反対側の面で接続されており、かつ、前記第１の開口部を前記第２の開口部で覆うように配置されており、
前記第１の収容部と前記第２の収容部とを接続する接続部は、前記開閉手段が設けられた面と反対側に折り曲げ可能とすることで、前記第１の開口部が開放されるペンケース。
【請求項２】
前記開閉手段は線ファスナーである請求項１に記載のペンケース。
【請求項３】
前記接続部で前記第２の収容部を折り曲げることで、前記第１の開口部から突出した前記筆記具に、前記第２の開口部を構成する端部が接触する請求項１又は２に記載のペンケース。
【請求項４】
前記第２の収容部は、前記接続部が形成された面の長手方向の長さより、前記開閉手段が設けられた面の長手方向の長さが長い請求項１から３のいずれか１項に記載のペンケース。
【請求項５】
前記第１の収容部の前記第１の開口部と反対側の端部、及び、前記第２の収容部の前記第２の開口部と反対側の端部は、シリコーン系の材料で形成されている請求項１から４のいずれか１項に記載のペンケース。
【発明の詳細な説明】
【技術分野】
【０００１】
本発明は、ペンケースに係り、特に、ペンケースをペンスタンドとして用いることができるペンケースに関する。
【背景技術】
【０００２】
従来から、袋状をなすケース本体の出し入れ口に沿ってファスナー等の開閉手段を設けた各種のペンケースが知られている。この種のペンケースの中には、持ち運ぶ際には邪魔にならない通常のペンケースの形態をとりつつも、机上に置いてペンスタンドとしても使用できるペンケースが知られている。
【０００３】
例えば、下記の特許文献１には、筆記用具を収納する筒状部と、筒状部の下端部に設けられた絞り部と底部を備え、絞り部を折り返した際に、底部が筒状部の内側に収容されるペンケースが記載されている。これにより、ペンケースを立てて保持することができる。また、特許文献２には、少なくとも２つのケース形成体の組み合わせからなり、これらのケース形成体をケース本体の長さが変化する方向に相対移動可能に設けることで、筆記具の一端側を露出させた状態でペン立てと同様に利用することができる筆記具ケースが記載されている。
【先行技術文献】
【特許文献】
【０００４】
【特許文献１】特開２０１８−１１８１３９号公報
【特許文献２】特開２００２−３２０５１２号公報
【発明の概要】
【発明が解決しようとする課題】
【０００５】
特許文献１及び特許文献２に記載されているペンケースは、ペンの長手方向に立てて使用するものであるため、ペンスタンドとして使用する場合に、設置が安定しない場合があった。
【０００６】
本発明はこのような事情に鑑みてなされたものであり、ペンケースをペンスタンドとして使用する際に、安定して立てることができるペンケースを提供することを目的とする。
【課題を解決するための手段】
【０００７】
本発明の目的を達成するために、本発明に係るペンケースは、筆記具を収容するペンケースであって、第１の開口部を有する第１の収容部と、第２の開口部と、第２の開口部から他端側に向かって設けられた開閉手段と、を有する第２の収容部と、を備え、第１の収容部と第２の収容部とは、開閉手段と反対側の面で接続されており、かつ、第１の開口部を第２の開口部で覆うように配置されており、第１の収容部と第２の収容部とを接続する接続部は、開閉手段が設けられた面と反対側に折り曲げ可能とすることで、第１の開口部が開放される。
【発明の効果】
【０００８】
本発明のペンケースによれば、筆記具をペンケース内に収納する際は、開閉手段を閉じ、第１の開口部を第２の開口部で覆うことで、ペンをペンケースに収納することができる。また、筆記具を使用する際は、接続部を折り曲げることで、第１の収容部内の筆記具を第１の開口部から突出させ、第１の収容部の第１の開口部と反対側の端部及び第２の収容部の第２の開口部の反対側の端部とでペンケースを立てることで、ペンスタンドとして使用することができる。ペンケースを立てた際に、第２の開口部を構成する端部を筆記具と接触させることで、筆記具を第２の収容部で支えることができ、かつ、第２の収容部がペンケースの形状に戻ろうとすることを防止することができ、ペンスタンドとして安定させることができる。
【図面の簡単な説明】
【０００９】
【図１】本実施形態のペンケースを上面から見た図である。
【図２】本実施形態のペンケースの底面から見た図である。
【図３】開閉手段を開けたペンケースを上面から見た図である。
【図４】開閉手段を開けた状態で、第２の収容部を折り曲げた図である。
【図５】ペンスタンドとしての使用状態を示す斜視図である。
【図６】ペンスタンドとしての使用状態を示す正面図である。
【発明を実施するための形態】
【００１０】
以下、添付図面に従って、本発明に係るペンケースについて説明する。
【００１１】
図１は、ペンケースとしての使用状態におけるペンケースを上面から見た図であり、図２は図１に示すペンケースを底面から見た図である。
【００１２】
図１に示すように、本実施形態のペンケース１０は、第１の開口部２２（図３参照）を有する第１の収容部２０と、第２の開口部３２を有する第２の収容部３０とで、構成される。筆記具は、第１の収容部２０と第２の収容部３０の中で、第１の開口部２２及び第２の開口部３２を通り、収容される構造となっている。
【００１３】
第１の収容部２０及び第２の収容部３０は、布によって形成されており、例えば、外生地をポリエステル３００Ｄ、内生地をポリエステル２１０Ｄにより形成された２層構造とすることができる。ただし、第１の収容部２０及び第２の収容部３０の材料はこれに限定されない。他の材料を用いてもよい。
【００１４】
第２の収容部３０は、筆記具を取り出すための開閉手段３４を有する。開閉手段３４は、第２の開口部３２から第２の開口部３２と反対側の他端側に向かって設けられる。開閉手段３４は、例えば、線ファスナーとすることができる。開閉手段３４を閉じることで、筆記具をペンケース１０内に収容させることができ、筆記具を持ち運ぶことができる。また、開閉手段３４を開けることで、筆記具を取り出すことができる。また、後述するように、開閉手段３４を開け、筆記具の一部を第２の収容部３０の外に出してから、第２の収容部３０を接続部４０で折り曲げることで、筆記具が邪魔になることなく、第２の収容部３０を折り曲げることができる。線ファスナーとしては、例えば、Ｎｏ．３  長ステスを用いることができる。
【００１５】
第１の収容部２０と第２の収容部３０とは、第２の収容部３０の開閉手段３４が設けられている面と反対側の面に設けられた接続部４０で接続されている。また、第１の開口部２２を第２の開口部３２が覆うように第１の収容部２０と第２の収容部３０が配置され、ペンケース１０内に収容された筆記具が露出しないようにしている。第１の収容部２０と第２の収容部３０とは、接続部４０で縫合することで接続されている。接続部４０は、スタンドとして使用する際に開閉手段３４が設けられた面と反対側に折り曲げ可能となっており、接続部４０で折り曲げるため、第１の収容部２０及び第２の収容部３０を形成する布地より柔らかい布地を使用することで、接続部４０で折り曲げ易くすることができる。
【００１６】
図１の形態における、ペンケース１０のサイズにについて説明するが、サイズはこれに限定されない。ペンケース１０の長手方向の長さ、すなわち、第１の収容部２０の端部から第２の収容部３０までの長さＬ１は、一般的な筆記具が、ペンケース１０内に収容されることができればよく、２００ｍｍとすることができる。また、第１の収容部２０の長さＬ２を１００ｍｍとし、第２の収容部３０の開閉手段３４が設けられた面側の長さ（端部３６から第２の開口部３２までの長さ）Ｌ３を１１０ｍｍ、接続部４０が形成された面側の長さ（端部３６から接続部４０までの長さ）Ｌ４を１００ｍｍとすることができる。すなわち、第２の収容部３０は、接続部４０が形成された面の長手方向の長さＬ４より、開閉手段３４が設けられた面の長手方向の長さＬ３を長くする。このようなサイズとすることで、第１の収容部２０の第１の開口部２２から１０ｍｍの幅を第２の収容部３０で覆うことができる。ペンケース１０の短手方向の長さＬ５は、８０ｍｍとすることができる。
【００１７】
第１の収容部２０の第１の開口部２２と反対側の端部２６及び第２の収容部３０の第２の開口部３２と反対側の端部３６は、シリコーン系の材料により形成されていることが好ましい。ペンケース１０の端部２６、３６をシリコーン系の材料により形成することで、スタンドとして立てた際に、ペンケース１０が滑ることを防止するストッパーとしての機能を持たせることができる。第１の収容部２０及び第２の収容部３０の端部２６、３６のシリコーン系の材料で形成する長さは、例えば、端部から１０ｍｍとすることができる。
【００１８】
次に、ペンケース１０をペンスタンドとして用いる態様について説明する。図３は、開閉手段を開けた状態を示す図、図４は、開閉手段を開いて第２の収容部を折り曲げた状態を示す図、図５は、ペンスタントとしての使用状態を示す斜視図、図６はペンスタンドとしての使用状態を示す正面図である。
【００１９】
ペンケース１０内の筆記具５０を取り出す際、又は、ペンスタンドとして使用する際は、まず、図３に示すように、開閉手段３４を開ける。ペンスタンドとして使用する必要がない場合は、この状態で筆記具を取り出して使用することができる。ペンスタンドとして使用する場合は、筆記具５０の第２の収容部３０側に収納されている部分のみ、開閉手段３４から第２の収容部３０の外に取り出す。その後、第２の収容部３０を、筆記具５０と反対側に折り曲げ、ペンケース１０を第１の収容部２０の端部２６及び第２の収容部３０の端部３６で立たせる。これにより、図４に示すように。第１の収容部２０の第１の開口部を開放することができ、第１の収容部２０に収容された筆記具５０の上部を第１の開口部２２から突出させることができる。
【００２０】
最後に、図５及び図６に示すように、開閉手段３４を閉じ、第２の収容部３０の第２の開口部３２の端部と筆記具５０とを接触させる。これにより、筆記具５０を第２の収容部３０で支えることができ筆記具５０が倒れることを防止することができる。また、接続部４０で折り曲げた第２の収容部３０が、折り曲げた状態からペンケースの状態（図１及び図２に示す状態）に戻ることを防止することができ、ペンスタンドとして形状を維持することができる。
【００２１】
本発明のペンケース１０によれば、第１の収容部２０と第２の収容部３０とで構成されており、第２の収容部３０を接続部４０で折り曲げることで、ペンケース内の筆記具の上部を突出させることができる。また、第１の収容部２０の端部２６と第２の収容部３０の端部３６とを、机の上などに設置することで、ペンスタンドとして使用することができる。また、第２の収容部３０の第２の開口部３２と筆記具５０とを接触させることで、第２の収容部３０が折り曲げた状態から復元することを防止することができる。したがって、ペンスタンドとしての形状を安定することができる。
【符号の説明】
【００２２】
１０…ペンケース、２０…第１の収容部、２２…第１の開口部、２６、３６…端部、３０…第２の収容部、３２…第２の開口部、３４…開閉手段、４０…接続部、５０…筆記具
【図１】
2020055222.tif 000003
【図２】
2020055222.tif 000004
【図３】
2020055222.tif 000005
【図４】
2020055222.tif 000006
【図５】
2020055222.tif 000007
【図６】
2020055222.tif 000008
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
筆記具を収容するペンケースであって、
第１の開口部を有する第１の収容部と、
第２の開口部と、前記第２の開口部から他端側に向かって設けられた開閉手段と、を有する第２の収容部と、を備え、
前記第１の収容部と前記第２の収容部とは、前記開閉手段と反対側の面で接続されており、かつ、前記第１の開口部を前記第２の開口部で覆うように配置されており、
前記第１の収容部と前記第２の収容部とを接続する接続部は、前記開閉手段が設けられた面と反対側に折り曲げ可能とすることで、前記第１の開口部が開放され、
前記第１の収容部及び前記第２の収容部には、それぞれ前記第１の開口部及び前記第２の開口部の反対側に、前記接続部で折り曲げた際に、載置面に接する端部を有し、
前記接続部で前記第２の収容部を折り曲げることで、前記第１の開口部から突出した前記筆記具に、前記第２の開口部を構成する端部が接触するペンケース。
【請求項２】
前記開閉手段は線ファスナーである請求項１に記載のペンケース。
【請求項３】
前記第２の収容部は、前記接続部が形成された面の長手方向の長さより、前記開閉手段が設けられた面の長手方向の長さが長い請求項１または２に記載のペンケース。
【請求項４】
前記第１の収容部の前記第１の開口部と反対側の端部、及び、前記第２の収容部の前記第２の開口部と反対側の端部は、シリコーン系の材料で形成されている請求項１から３のいずれか１項に記載のペンケース。